(57)【要約】  歯科用固定装置は、患者の口内に固着可能な一体片式もしくは二部材式の骨内インプラントと、該インプラントに対して解除可能に係合可能な保持部材とを備える。上記インプラントは、一端における支台ヘッドと、該ヘッドから突出すると共に顎骨内に螺着係合すべく設計された螺条付き支柱とを有し、上記ヘッドは外側位置決め表面部分を有している。上記保持部材は、第1末端と、該第1末端から延在してキャビティを形成する周縁裾部とを備えた概略的なカップ形状であり、上記裾部は、上記ヘッドの上記外側位置決め表面部分上に係合される内側位置決め表面を有する。上記ヘッドはまた、上記各部材が解除可能にスナップ係合されるべく移動されるときに、上記保持部材の内側末端から延在する栓部が内部係合するというソケットも有し得る。【選択図】図１
2012501217.tif 000002
【特許請求の範囲】
【請求項１】
一端における支台ヘッドと、該ヘッドから突出する支柱であって患者の顎骨における調製済みボア内へと嵌合的に係合し得る形状化形態部を有するという支柱とを有する骨内インプラントであって、前記支台ヘッドは少なくとも外側位置決め表面部分を有するという骨内インプラントと、
第1末端と、該第1末端から延在してキャビティを形成する周縁裾部とを有する概略的にカップ形状の保持部材であって、前記裾部は、前記ヘッドの前記外側位置決め表面部分上に解除可能に係合された内側位置決め表面と、歯科用器具における凹所内に固着されたキャップ内に旋回係合し得る外側面とを有する、という保持部材とを備える、
歯科用固定アセンブリ。
【請求項２】
前記インプラントは一体的に一体片に形成される、請求項１に記載のアセンブリ。
【請求項３】
前記支柱上の前記形状化形態部はネジ山を備える、請求項１に記載のアセンブリ。
【請求項４】
前記螺条は単一リード螺条を有する、請求項３に記載のアセンブリ。
【請求項５】
前記螺条は多重リード螺条を有する、請求項３に記載のアセンブリ。
【請求項６】
前記螺条は異なるピッチの二重螺条を有する、請求項３に記載のアセンブリ。
【請求項７】
前記螺条は、患者の顎骨におけるボア内へと自己ネジ切りし得るべく対置された軸心方向切断部を有する、請求項３に記載のアセンブリ。
【請求項８】
前記支柱は、前記支台ヘッドから延在する均一直径の第1部分と、該第1部分から当該支柱の末端まで延在するテーパ付き直径の第2部分とを有する、請求項１に記載のアセンブリ。
【請求項９】
前記インプラントは、本体と前記支台ヘッドとを有する二部材に形成され、
前記本体は、第1端部と、該第1端部から延在する螺条付き支柱とを備え、且つ、
前記第1端部および支台ヘッドは夫々、前記本体の該第1端部に対して該支台ヘッドを解除可能に接続し得る相互係合可能形態部を有する、請求項１に記載のアセンブリ。
【請求項１０】
前記相互係合可能形態部は相互に噛合するネジ山を有する、請求項９に記載のアセンブリ。
【請求項１１】
前記相互係合可能形態部は相互に協働するテーパ圧力嵌め部分を有する、請求項９に記載のアセンブリ。
【請求項１２】
前記支台ヘッドは、対置された第1および第2末端と、該第2末端から延在する螺条付きボアとを有し、且つ、
前記本体の前記第1端部は、前記螺条付きボア内への螺着係合のための外部螺条を有する、請求項１０に記載のアセンブリ。
【請求項１３】
前記本体の前記第1端部は、第1末端と、該第1末端から内方に延在する多角形断面の工具位置決めボアであって、挿入工具の整合多角形末端を受容し得るという工具位置決めボアとを有し、且つ、
前記支台ヘッドは、該支台ヘッドが前記本体の前記第1端部に対して取付けられたときに前記工具位置決めボアと整列される貫通ボアを有する、請求項１２に記載のアセンブリ。
【請求項１４】
前記本体の前記第1端部は、外側末端と内側末端とを有するボアと、該ボアの丈の少なくとも一部分に沿い前記内側末端まで延在する螺条付き部分とを有し、且つ、
前記支台ヘッドは、位置決め部分と、前記ボアの前記螺条付き部分内への螺着係合のために該支台ヘッドの該位置決め端部から延在する螺条付き支柱とを有する、請求項１０に記載のアセンブリ。
【請求項１５】
前記本体の前記第1端部における前記ボアは、前記螺条付き部分まで延在する工具係合部分であって、取外し工具の整合多角形末端を受容し得る多角形断面を有するという工具係合部分を有する、請求項１４に記載のアセンブリ。
【請求項１６】
前記本体の前記第1端部の少なくとも一部分は、支台設置工具における整合多角形開口と係合し得る外部多角形状を有する、請求項９に記載のアセンブリ。
【請求項１７】
前記インプラントは、1.5mm〜4.0mmの範囲内の最大ヘッド直径を有する小型インプラントである、請求項１に記載のアセンブリ。
【請求項１８】
前記インプラントは、前記支台ヘッドと支柱との間に袖部分を有する、請求項１に記載のアセンブリ。
【請求項１９】
異なる組織深度に対処するために異なる高さの袖部分を夫々有する複数のインプラントを備える、請求項１記載のアセンブリ。
【請求項２０】
前記インプラントは、前記支柱と、前記ヘッドの前記外側位置決め部分との間に、前記支柱よりも大径の袖部分を有する、請求項９に記載のアセンブリ。
【請求項２１】
異なる組織深度に対処するために異なる高さの袖部分を夫々有する複数の二部材式インプラントを備える、請求項２０に記載のアセンブリ。
【請求項２２】
前記袖部分は前記支台ヘッド上に配置される、請求項２０に記載のアセンブリ。
【請求項２３】
前記袖部分は前記本体の前記第1端部上に配置される、請求項２０に記載のアセンブリ。
【請求項２４】
前記袖部分は、前記支台ヘッド上に配置された第1部分と、前記本体の前記第1端部上に配置された第2部分とを有し、
前記第1および第2部分は、前記支台ヘッドが前記本体に対して取付けられたときに前記袖部分の前記各部分間の分離のラインを形成すべく嵌合的に対面係合する対向面を夫々有する、請求項９に記載のアセンブリ。
【請求項２５】
前記支台ヘッドは内方に延在するソケットを有し、
前記ソケットは内側位置決め部分を備え、且つ、
前記保持部材における前記キャビティは、第1末端と、該キャビティの該第1末端から延在する栓部であって、前記裾部が前記支台ヘッドの前記外側位置決め部分上に係合するときに前記ソケット内に解除可能にスナップ係合し得るという栓部とを有する、請求項１に記載のアセンブリ。
【請求項２６】
前記支台ヘッドの前記外側位置決め表面部分、および、前記保持部材における前記キャビティの前記内側位置決め表面は、解除可能なスナップ係合形態部を構成する、請求項１に記載のアセンブリ。
【請求項２７】
前記ヘッドの前記外側位置決め表面部分は、軸心方向に離間された第1群の少なくとも２つのスナップ係合形態部を有し、且つ、
前記保持部材の前記内側位置決め表面は、前記支台ヘッド上のスナップ係合形態部と解除可能にスナップ係合し得るべく軸心方向に離間された第2群の少なくとも２つのスナップ係合形態部を有する、請求項２６に記載のアセンブリ。
【請求項２８】
一方の群のスナップ係合形態部は離間された複数の環状突出部を有し、且つ、他方の群のスナップ係合形態部は、前記離間された複数の環状突出部と夫々スナップ係合し得る複数の環状溝を有する、請求項２７に記載のアセンブリ。
【請求項２９】
前記アセンブリは、歯科用器具における凹所内に固着され得るキャップを更に備え、
該キャップは、凹状の丸形内側面を有し、且つ、
前記保持部材は、前記キャップの前記丸形内側面と旋回係合し得るべく整合する凸状の丸形外側面を有する、請求項１に記載のアセンブリ。
【請求項３０】
前記アセンブリは、前記支台の前記本体から摩耗支台ヘッドを取り外し得る取外し工具を更に備え、
前記取外し工具は、
取手を備える第1末端と、中央部分と、該中央部分から延在する多角形部分であって、前記支台ヘッドにおける前記ボアを貫通して延在することで前記インプラントの前記本体の前記第1端部における前記多角形ボアに係合し得るという多角形部分と、を有する中心シャフトと、
前記シャフトの前記中央部分上に回転可能に取付けられたドライバ・スリーブであって、把持部分と、前記支台ヘッドにおける前記貫通ボアに係合し得るヘッド係合部分とを有するというドライバ・スリーブと、を備える、請求項１３に記載のアセンブリ。
【請求項３１】
前記支台ヘッドにおける前記貫通ボアは、前記取外し工具の前記ヘッド係合部分と解除可能に係合し得る第1の進入部分を有する、請求項３０に記載のアセンブリ。
【請求項３２】
前記ドライバ・スリーブの前記ヘッド係合部分は、離間された複数の突出部を有する三角形ドライバを備え、且つ、
前記支台ヘッドの前記進入部分は、該支台ヘッドが前記支台の前記本体から取り外されるときに前記ドライバ・スリーブ上の前記離間突出部と夫々整列し得るべく離間された複数の切欠きを有する内側縁部を有する、請求項３１に記載のアセンブリ。
【請求項３３】
骨内インプラントの支柱を患者の顎骨における調製済みボア内に直接的に固着する段階であって、前記インプラントの支台ヘッドが組織レベルの上方に延在し且つ前記支柱が骨組織に対して骨結合する時間を許容する様に固着するという段階と、
丸形の凹状内側面を備えるキャビティを有するキャップを歯科用器具における凹所内に固着すると共に、前記キャビティの前記丸形の凹状内側面に対してカップ形状保持部材を旋回係合させる段階と、
前記キャップを前記インプラントの前記支台ヘッドに対して実質的に整列させて前記歯科用器具を位置決めし、且つ、前記カップ形状保持部材上の少なくともひとつの内側位置決め表面が前記支台ヘッドの少なくともひとつの外側位置決め部分上に係合するまで前記器具を前記支台ヘッドに向けて移動させる段階であって、これにより、前記器具は前記インプラント上に解除可能に保持され、且つ、前記保持部材とキャップとの間の前記旋回係合により前記歯科用器具は前記インプラントとの軸心方向整列に入り且つ該整列から離脱すべく旋回し得るという段階とを有する、
患者の口内に歯科用器具を固定する方法。
【請求項３４】
骨内インプラントを固着する前記段階は、複数の骨内インプラントの夫々の支柱を、患者の顎骨における選択箇所における一連の調製済みボア内に直接的に固着する段階を更に有し、
歯科用器具内にキャップを固着する前記段階は、前記患者の顎骨に固着された各インプラント間の間隔に対応する所定間隔にて、複数のキャップを歯科用器具内に固着する段階を更に有し、且つ、
患者の口内に前記器具を位置決めする前記段階は、前記各キャップを夫々の支台ヘッドに対して実質的に整列させて前記器具を位置決めし、且つ、前記キャップ内に旋回係合された夫々の保持部材が夫々のインプラント上の支台ヘッド上に係合するまで前記器具を各支台に向けて移動させる段階を更に有する、
請求項３３に記載の方法。
【請求項３５】
インプラント本体の第1部分に対し、前記インプラントが前記患者の顎骨内に固着されたときに該顎骨における前記ボアから突出する第1支台ヘッドを解除可能に固着する段階と、
前記位置決め表面部分が使用により摩耗したときに前記第1支台ヘッドを前記インプラント本体から取り外す段階と、
前記第1支台ヘッドが取り外された後に、第2の支台ヘッドを前記インプラント本体の前記第1端部に対して固着する段階とを更に有する、
請求項３３に記載の方法。
【発明の詳細な説明】
【技術分野】
【０００１】
本発明は、歯科用器具を固定する装置および方法に関し、特に、小型もしくは骨内のインプラント・アセンブリおよび方法に関する。
【背景技術】
【０００２】
総義歯もしくは部分義歯などの如き歯科用プロテーゼを患者の顎部に対して取付ける種々のシステムおよび方法は知られている。
【発明の概要】
【発明が解決しようとする課題】
【０００３】
斯かるシステムは概略的に、嵌合し合う雄型部分および雌型部分を備え、その一方は歯科用プロテーゼに対して取付けられ、且つ、その他方は、患者の顎部の選択位置に取付けられる支台を有する。該支台は、歯根、骨内インプラント、もしくは、隣接する歯に対して取付けられ得ると共に、一定の場合には、顎骨内に直接的に挿入されることもある。
【課題を解決するための手段】
【０００４】
本明細書中に記述される実施例はインプラント・デバイスを有し、該インプラント・デバイスは、歯科用器具における凹所内に係合される協働的な保持部材に対してスナップ係合する支台ヘッドと、該ヘッドから延在して骨組織に対して螺着係合する螺条付き支柱とを備える。一実施例において、上記支台ヘッドは上記支柱と一体的に形成されて、一体片式の骨内インプラントを提供する。代替実施例において上記インプラント・デバイスは、上記支台ヘッドと上記インプラントの上記本体とを有するという二部材式であり、且つ、上記支台ヘッドは上記本体に対して解除可能に取付けられる。
【０００５】
一実施例に依れば、歯科用固定装置は、患者の口内に固着可能な骨内インプラントと、該インプラントに対して解除可能に係合可能な保持部材とを備える。上記インプラントは、一端における支台ヘッドと、該ヘッドから突出して骨組織内に螺着係合する螺条付き支柱とを有し、上記ヘッドは少なくとも外側位置決め表面部分を有する。上記保持部材は、第1末端と、該第1末端から延在してキャビティを形成する周縁裾部とを備えた概略的なカップ形状であり、上記裾部は、上記ヘッドの上記外側位置決め表面部分上に係合される内側位置決め表面を有する。上記保持部材は、歯科用器具における凹所内に固着されたキャップ内に旋回係合すべく設計される。
【０００６】
一実施例において、上記裾部の上記内側位置決め表面および上記ヘッドの上記外側位置決め表面部分は夫々、相互係合可能なスナップ形態部を有し、且つ、上記保持部材は上記ヘッド上に解除可能にスナップ係合される。別実施例において、上記ヘッドは第2位置決め部分を備える内方に延在するソケット(socket)を有し、且つ、上記保持部材は、上記裾部の内側にて上記第1末端から延在する栓部であって、該保持部材が上記ソケットにスナップ係合されたときに該ソケット内に係合するという栓部を有する。該栓部は、整列目的で使用され得る。一実施例において上記ソケットおよび栓部は、上記支台と保持部材との間の内側スナップ係合を提供する相互係合可能なスナップ形態部を有する。幾つかの実施例においては、上記栓部とソケットとの間の内側スナップ係合と、上記キャビティと上記ヘッドの外側位置決め部分との間の外側スナップ係合との両方が配備され得る一方、他の実施例においては、内側もしくは外側スナップ係合のみが配備される。
【０００７】
幾つかの実施例において、上記支台ヘッドは上記インプラントの本体の残部と一体的に形成されることで一体片式の骨内インプラントを提供する一方、他の実施例において上記支台ヘッドは上記インプラントの本体とは別体的に形成され且つ該本体に対し解除可能に取付けられる。後者の場合、各位置決め表面部分が摩耗しすぎて適切に機能しないときに、上記インプラントの全体を交換するのではなく、上記支台ヘッドが上記インプラント本体から取り外されて新たなヘッドと交換され得る。
【０００８】
別実施例において、上記ヘッド上の上記外側位置決め表面は、軸心方向に離間された第1群の少なくとも２つのスナップ係合形態部を有する一方、上記保持部材の上記内側位置決め表面は、上記ヘッド上のスナップ係合形態部と解除可能にスナップ係合すべく軸心方向に離間された第2群の少なくとも２つのスナップ係合形態部を有する。一方の群のスナップ係合形態部は、各位置決め表面上において離間された複数の環状突出部もしくはリブを有し得る一方、他方の群は、該環状突出部もしくはリブ上に夫々スナップ係合すべく離間された複数の環状溝を有する。この実施例において上記栓部は除外され得るか、または、上記栓部は、口内に載置されるときに歯科用器具を整列させる際の付加的な支援のために含まれ得る。
【０００９】
一実施例において上記装置は、歯科用器具における凹所内に固着されたキャップであって、上記保持部材上に係合すべく設計されたというキャップを含み、該キャップおよび上記保持部材は、該キャップ内における該保持部材の旋回係合のための夫々の丸形の内側および外側面を有している。上記キャップ内における上記保持部材の上記旋回係合によれば上記キャップと上記保持部材との間における旋回的な回転運動もしくは枢動運動が許容される。これにより、言及したことによりそれらの開示内容が本明細書中に援用される米国特許第6,030,219号および米国特許第6,299,447号に記述された如く、平行でない複数の支台に対する僅かな修正が許容されると共に、摩耗が低減される。
【００１０】
一実施例に依れば、歯科用取付具アセンブリに対する二部材式の骨内インプラントは、第1端部と、該第1端部から延在して顎骨内に螺着係合する螺条付きシャフトとを有する本体と、当該インプラントの上記本体に対して着脱自在に取付けられるべく設計された支台ヘッドもしくは部材とを備える。上記支台部材は、義歯構成要素に対し、または、義歯内に位置決めされたスナップ係合部分に対して解除可能にスナップ係合すべく設計された位置決め部分を有する。
【００１１】
二部材式の骨内インプラントの第１実施例において、上記本体の上記第1端部は、上記支台部材もしくはヘッドにおける内部螺条に係合する外部螺条を有する。代替実施例において、上記支台ヘッドは、上記本体の上記第1端部におけるボア（穴）内の内部螺条に係合する外部螺条を備えたシャフトもしくは支柱を有する。これらの代替例の両方において、上記インプラントの上記本体を所定位置に保持し乍ら上記支台ヘッドを取り外すための工具が提供され得る。一実施例において、上記工具は上記インプラントの上記本体における内部六角部に係合する下側六角形部分を有する一方、該下側六角形部分に対して回転可能であるドライバ部分は、上記位置決め部もしくは支台ヘッドにおける駆動係合部に係合する。代替的に、上記支台ヘッドおよび本体は、夫々の螺着係合部分の代わりに、相互に協働するテーパ圧力嵌め部分を備えるべく設計され得る。
【００１２】
上記一体片式および二部材式のインプラントの両方において、上記螺条付き支柱もしくはシャフトは、患者の顎骨における調製済みボア内に直接的に植設され得ると共に、患者の顎骨との骨結合に対して設計され得る。上記インプラントは1.5mm〜4.0mm程度の最大ヘッド直径を有する所謂る“小型インプラント”とされ得ると共に、上記螺条付き支柱は、上記ヘッド直径よりも僅かに小さい最大螺条直径を有する。上記螺条付き支柱もしくはシャフトは、患者の顎骨において利用可能な植設深度に基づく選択のために、一定範囲の異なる長さで提供され得る。一実施例において、上記インプラントの上記螺条付き支柱は、均一な外径の第1部分と、該第1部分からネジの末端まで延在する第2部分であって、漸進的にテーパ付けされた直径であるという第2部分とを有する。上記螺条付き支柱は、単一リード螺条、二重リード螺条もしくは他の多重リード螺条、または、異なるピッチの二重螺条を有し得ると共に、該螺条付き支柱は、該螺条付き支柱が骨組織内のボアに係合されるときに該骨組織に螺条を生成すべく、骨組織内へと自己ネジ切りを行うために対置された軸心方向切断部を有し得る。二重、三重もしくは四重リードの螺条によれば、ネジ切りされた骨組織部位内への迅速で堅固な係合が許容される。突出するネジ山はアンダカット部分を形成すると共に、この領域における骨組織の成長および付着によれば、取付けの強度と弛緩力に対する耐性とが増大される。
【００１３】
代替実施例において上記螺条付き支柱は、交換目的での顎骨からの選択的な後時の取り外しに対して設計され得る。この場合に上記支柱は、軸心方向切断部なしで、単純な螺条を有し得る。螺条付き支柱の代わりに、顎骨などにおける調製済みボア内への嵌合的な取付け形態部に対する係合のために、該支柱上には他の形態部が配備され得る。
【００１４】
上記インプラントは、上記支台ヘッドと支柱との間に袖部領域を有し得る。二部材式インプラントの場合、上記袖部領域は、上記本体の上記第1端部上に全体的に、または、上記支台ヘッド上に全体的に、または、上記第1端部上に部分的に且つ上記ヘッド上に部分的に、配置され得る。いずれの場合にも、異なる組織高さに対処するために異なる高さの袖部領域を備えた複数の異なるインプラントが提供され得る。上記本体の上記第1端部と上記支台ヘッドとの間の接続もしくは分離のラインは、組織もしくは歯茎のレベルの上方であるべく設計され得ることから、上記支台ヘッドは組織を何ら阻害せずに歯科医により取り外され得る。
【００１５】
当業者であれば、本発明の他の特徴および利点は、以下の詳細な説明および添付図面を吟味した後で容易に明らかとなろう。
【００１６】
本発明の構造および作用の両方に関し、本発明の詳細は、同様の参照番号は同様の部材を指すという添付図面を考察することで部分的に理解され得る。
【図面の簡単な説明】
【００１７】
【図１】第１実施例に係る歯科用固定装置の拡大図であり、該装置の各部材は離間されている。
【図２】図１の歯科用固定器の拡大側面図であり、各部材は相互に組立てられている。
【図３】図１および図２におけるよりも小さな縮尺とした図２の３−３線に沿う上記装置の断面図であり、キャップを義歯内もしくは歯科用器具内に位置させ乍ら患者の顎骨内に固着された固定器アセンブリを示している。
【図４】図３における上記装置の円囲み部分の分解断面図であり、インプラントのヘッドと保持部材との間のスナップ係合を示している。
【図５】図１から図４の装置の骨内インプラントの斜視図である。
【図６】図１から図４のインプラントの拡大平面図である。
【図７】図１から図６の固定装置における保持部材の拡大断面図である。
【図８】図１から図７のインプラントに類似しているが、図１から図７の支柱の代わりに改変螺条付き支柱を備えるという骨内インプラントの拡大側面図である。
【図９】図８の９−９線に沿う断面図である。
【図１０】図１から図７の装置において使用される別の改変螺条付き支柱を備えたインプラントを示す図８と同様の側面図である。
【図１１】改変螺条付き支柱を備えた別の改変インプラントの側面図である。
【図１２】図１１よりも小さな縮尺による、図１１の改変インプラントの底面図である。
【図１３】図１と類似しているが、図１１および図１２の改変インプラントを用いた固定装置の分解断面図である。
【図１４】組立てられた状態における図１３の固定装置の円囲み部分の拡大図である。
【図１５】固定装置の別実施例の分解側面図である。
【図１６】各部材が組立てられた図１５の歯科用固定装置の断面図である。
【図１７】図１５および図１６の装置の保持部材の一部の拡大断面図である。
【図１８】図１５および図１６の装置のインプラントの斜視図である。
【図１９】図１８のインプラントの平面図である。
【図２０】図１５から図１９の装置におけるインプラントと類似しているが、改変螺条付き支柱を備えるという骨内インプラントの側面図である。
【図２１】図２０のインプラントと類似しているが、別の改変螺条付き支柱を備えるというインプラントの側面図である。
【図２２】別実施例に係る歯科用固定装置の分解側面図である。
【図２３】各部材が組立てられた図２２の歯科用固定装置の側面図である。
【図２４】図２３の２３−２３線に沿う断面図である。
【図２５】図２２から図２４の装置と類似しているが、改変螺条付き支柱を備えるという骨内インプラントの側面図である。
【図２６】図２５のインプラントに類似しているが、改変螺条付き支柱を備えるというインプラントの側面図である。
【図２７】別実施例に係る二部材式の小型インプラントの分解側面図であり、該インプラントの各部材は離間されている。
【図２８】図２７の２８−２８線に沿う図２７の二部材式の小型インプラントの長手断面図である。
【図２８Ａ】図２７および図２８の二部材式インプラントの支台ヘッドの平面図である。
【図２９】図２７および図２８のインプラントの本体の平面図であり、内部六角部を示している。
【図３０】図２７および図２８のインプラントの本体の底面図である。
【図３１】図２７から図３０の小型インプラントもしくは取付部の２つの部材であって、使用に際して相互に固着されると共に、義歯もしくは歯科用器具内に位置されたキャップ内に旋回係合された雄型部材もしくは保持部材に対して解除可能にスナップ係合されたという２つの部材を示す側面図である。
【図３２】図３１の３２−３２線に沿う図３１の歯科用固定装置の長手断面図であり、上記アセンブリが使用中であるときの骨膜下硬質骨レベル、軟組織領域、および、周囲組織の上方の領域を概略的に示している。
【図３３】修理もしくは交換の目的で必要とされたときに図２７から図３２のインプラントの本体から支台ヘッドを分離するためのドライバもしくは取外し工具の斜視図である。
【図３４】図３３の取外し工具の長手断面図である。
【図３４Ａ】図３３および図３４の取外し工具の三角形ドライバの斜視図である。
【図３５】別実施例に係る二部材式の小型インプラントの分解側面図であり、インプラントの各部材は分離されている。
【図３６】図３５の小型インプラントの支台ヘッドの長手断面図である。
【図３７】図３６の支台ヘッドの平面図である。
【図３８】図３５のインプラントの内部螺条付き本体の長手断面図である。
【図３９】別実施例に従い改変された二部材式の小型インプラントであって、図３３から図３８の内部螺条取付けインプラントに類似するが２つの部材間の分離のラインが異なる箇所に在るという小型インプラントの分解側面図である。
【図４０】図３９の４０−４０線に沿う垂直断面図である。
【図４１】別実施例に係るテーパ圧力嵌め型の二部材式の小型インプラントの分解側面図であり、該インプラントの各部材は分離されている。
【図４２】図４１の４２−４２線に沿うインプラントの各部材の断面図である。
【図４３】図４１および図４２の二部材式インプラントの支台ヘッドの平面図である。
【図４４】図４３の支台ヘッドの底面図である。
【図４５】別実施例に従い改変された別の二部材式の小型インプラントの分解側面図であり、該インプラントの各部材は分離されている。
【図４６】図４５の４６−４６線に沿う各部材の長手断面図である。
【図４７】図４５および図４６のインプラントの本体の斜視図であり、工具係合用の外部六角形態部を示している。
【図４８】図４５から図４７の二部材式インプラントを含む歯科用固定装置の組立て済み部材の側面図である。
【図４９】図４８の４９−４９線に沿う長手断面図である。
【発明を実施するための形態】
【００１８】
本明細書中に開示される幾つかの実施例は、骨内インプラントであって、支台ヘッドと、患者の顎骨への直接的係合のために該ヘッドから延在する支柱とを有するという骨内インプラントと、該インプラントの上記ヘッド上へのスナップ係合(snap engagement)、および、歯科用器具もしくはプロテーゼ内に固着されたキャップ内への旋回係合に対して設計された保持部材とを有する歯科用取付具もしくは固定装置を提供する。上記保持部材およびインプラントは、該インプラント部材上に歯科用器具もしくはプロテーゼを解除可能に保持する相互係合可能なスナップ係合形態部を夫々有する。設置する際には、離間された複数のインプラントが顎骨に植設され、且つ、歯科用器具内に固着されて対応的に離間された複数のキャップ内に夫々係合された複数の保持部材は夫々のインプラントの支台ヘッドに対して係合されることで、上記歯科用器具を患者の口内の所定位置に保持する。
【００１９】
当業者であれば、本記述を読破した後、本発明を種々の代替実施例および代替的用途において実施する方法は明らかとなろう。また、本明細書においては本発明の種々の実施例が記述されるが、これらの実施例は例示的にのみ示されるものであり、限定的でないことは理解される。故に、種々の代替実施例に関するこの詳細な説明は、本発明の適用範囲もしくは有効範囲を制限すると解釈されるべきでない。
【００２０】
以下の記述において、“上側”および“下側”という語句は、図面中に見られるインプラントの種々の部分の配置を表すべく使用されるが、インプラントが顎部内に設置されるときにいずれの末端が最上位であるかを表すことは意図されておらず、このことは、インプラントが上顎または下顎のいずれに配置されるかに依存する。
【００２１】
図１から図７は、支台ヘッドもしくはヘッド部分20および一体的螺条付き支柱もしくはシャフト14を有する一体片式インプラント12と、該インプラント12のヘッド20に対して解除可能にスナップ係合する保持部材15と、図３に示された様にオーバーデンチャ、部分義歯などの如き歯科用器具18における陥没部内に固着されるべく設計されたキャップ16とを備える歯科用取付具もしくは固定装置10の第１実施例を示している。インプラント12は、歯科用固定器もしくは支台に対して一般的に使用される被覆チタンもしくは他の標準的な材料の如き比較的に頑丈な材料から構成され、且つ、螺条付き支柱14は、図３に示された如く骨膜下骨(endosseous bone)100における調製済みボア内への直接的係合に対して設計される。
【００２２】
ヘッド20は、概略的に平坦である第1末端22と、該第1末端から延在する外側の湾曲されたもしくは球根状の位置決め部分23とを有している。位置決め部分23の末端からは概略的に円筒状の部分もしくは袖部分24が延在し、且つ、該第1円筒状部分24からは内方に傾斜された縁部分25が延在する。インプラントは、異なる組織高さを有する患者に対処するために、異なる高さの袖部分を以て作成され得る。この実施例において、螺条付き支柱もしくはシャフト14は、縁部分25から延在する短寸円筒状部分26と、該支柱もしくはシャフト14の丈の残部に沿い延在する単一螺条28とを有している。支柱14は、該支柱の先端32まで延在する内方テーパ付き端部30を有する。
【００２３】
図２から図４は、相互に組立てられた図１の各部材を示しており、保持部材15は、キャップ16内に枢動的にスナップ係合すると共に、ヘッド20の位置決め部分23上に解除可能にスナップ係合されている。図３は各部材の作用状態を示しており、キャップ16は歯科用器具もしくはプロテーゼ18内の適切なキャビティ内に設置され、且つ、螺条付き支柱14は顎骨100における調製済みボア内に螺着係合される。上記螺条付き支柱は、骨内インプラントの分野で公知の如く、設置に先立ち任意の適切な被覆材料で被覆され得る。
【００２４】
図３から図６に示された如く、インプラント12のヘッド20は、平坦末端面22から該ヘッドの丈の一部に亙り延在するソケット34を有し、且つ、該ソケットの外側末端において内方に延在する丸形縁部35を有する。図４および図５に見られるように、縁部35は、患者の顎骨における調製済みボア内に上記螺条付き支柱を固着する適切な工具の末端を受容する切欠36を有する。図４に見られるように、上記ソケットの壁部を貫通して一個以上の滲出孔37が配備されることで、該ソケットから唾液が流出することが許容される。
【００２５】
図７において最適に示される様に、保持部材15は、概略的に平坦な第1末端38と、該第1末端38から延在してヘッド20に係合する内部キャビティ40を画成する外側裾部39と、図３および図４に見られる如くソケット34内に係合すべく上記キャビティの内側にて末端38から延在する保持ピンもしくは栓部42とを備えた、概略的なカップ形状である。保持部材15は、一定の弾性を有するナイロンもしくはプラスチック材料の如き材料で作成される。保持部材15は、言及したことによりそれらの開示内容が本明細書中に援用されるというゼスト等の米国特許第6,030,219号および米国特許第6,299,447号に記述された如き保持要素もしくは雄型要素に類似し得る。裾部39は、上記外側位置決め部分上へのスナップ係合のために設計された凹状内側面もしくは位置決め部分44を有する。保持ピンもしくは栓部42は、該栓部の残部よりも僅かに大径であり且つソケット縁部35の内径よりも僅かに小径である拡大端部45(図４)を有し、縁部35および端部45はスナップ係合形態部を構成する。裾部39が上記ヘッドの外側位置決め部分23上に係合するとき、栓部42の上記末端は、ソケット縁部35により画成された開口を該末端が強制的に貫通せしめられるときに僅かに圧縮され、次に、該末端が上記ソケット内に解除可能に保持される様に拡開する。同様に、裾部38の外側末端は、それが位置決め部分23の球根状もしくは丸形の表面上に強制的に被せられるときに拡開されてから、スナップ的に戻ることで、位置決め部分23の末端に係合する。故に、位置決め部分23と、裾部38の内側凹状面とは、保持部材15と小型支台部材12のヘッド20との間における第2の群のスナップ係合形態部を構成する。
【００２６】
保持部材15の外側面46は、図３および図４に示された如く、キャップ16内の対応形状のキャビティ48内へのスナップ嵌合的な旋回係合のために凸状または丸形である。上記保持部材とキャップとの間に形成された上記旋回継手は、上述の米国特許第6,030,219号および米国特許第6,299,447号に記述されたものと類似しておりまたは同一である。金属製義歯キャップ16内におけるナイロンもしくはプラスチック製で弾性的な保持部材もしくは雄型部材15の枢動によれば、平行でない複数の支台に対する僅かな修正、ならびに、長期持続的な弾性接続の提供が許容される。
【００２７】
一実施例において上記固定装置は、患者の顎部のサイズ、および、利用可能な組織および骨の深度および厚みに基づいて口腔外科医もしくは歯科医により選択されるために一定範囲の異なるサイズにて作成される。上記インプラントもしくは支台部材は、所謂る小型支台部材もしくは小型インプラントに至るまで、同様のサイズ範囲で提供され得る。一実施例においては、複数のヘッド20が約1.5mm〜4.0mmの直径範囲で提供される一方、上記螺条付き支柱の長さは約6mm〜21mmの範囲とされ得る。固着されるべき歯科用器具のサイズに依存して、顎骨における複数の選択箇所に複数の小型支台部材12が夫々固着され、且つ、歯科用器具における複数の対応箇所には複数のキャップ16が夫々固着される。夫々のキャップ内には複数の雄型部材もしくは保持部材15が係合され、次に歯科用器具は、各支台部材の対向ヘッド20上に夫々の保持部材をスナップ係合させることにより、顎部内に容易に固着され得る。
【００２８】
上記螺条のピッチもしくは角度は、比較的に急峻であり、且つ、一実施例においては約9°〜17°の範囲である。隣接する螺条同士の間の間隔は、好適には少なくとも1mmである。これは、螺条同士の間の間隙における相当の骨成長および骨結合(osseointegration)を確実とするために必要な最小限の間隔であることが見出されている。各螺条は上記インプラントのシャフト部分の表面から約1/2mmだけ突出しても良く、且つ、それらは約1/2mm高さである。
【００２９】
図８および図９は、図１から図７の上記固定装置におけるインプラント12の代わりに使用され得る改変インプラント50を示している。インプラント50は、改変螺条付き支柱52を有する。インプラント50の他の部分、特にヘッド20は、図１から図７における対応部分と同一であり、且つ、適切な場合には同様の参照番号が使用されている。螺条付き支柱52は、先行実施例の支柱14よりも短寸であり、且つ、螺条非形成である更に長寸の導入部分54を有する。支柱52は、螺条付き部分55に沿い僅かにテーパ付けられると共に、平坦末端56を有している。
【００３０】
図１０は、図１から図７のインプラント12に置き換わり得る別の改変インプラント60を示している。インプラント60もまたインプラント12と実質的に同一である支台ヘッド20を有するが、該インプラント60は、螺条非形成の導入部分を有さない改変螺条付きシャフト62であって、代わりに該シャフトの上部における微小螺条64を有すると共に、該シャフトの下側部分65に沿い２本の螺条が180度だけオフセットされた二重リード螺条63が追随する、というシャフト62を有する。二重リード螺条は、単一リード螺条の二倍だけ迅速に螺着される。骨組織は、上記微小螺条内へと、更に大寸の螺条よりも迅速に且つ更に効率的に成長することから、この配置構成は上記インプラントを固定し且つ弛緩に抗することを助力する。
【００３１】
図１１および図１２は、螺条付きシャフト72においてインプラント60と類似の螺条を有する改変インプラント70を示しており、適切な場合には同様の参照番号が使用される。但し、螺条付きシャフト72は、自己ネジ切りの目的で、径方向にて対向されて軸心方向に延在する２つの平坦部74も有している。該平坦部は、植設の後におけるインプラントの螺着解除に対する抵抗も助力する。インプラント70はその他の点ではインプラント60と同一であり、適切な場合には同様の部材に対して同様の参照番号が使用される。図１３および図１４は、図１から図７の保持部材15およびキャップ16と共にインプラント70を示している。
【００３２】
図１５から図１９は、一体片式インプラント82と、保持部材84と、義歯、部分義歯などの如き歯科用器具内に配備された凹所もしくは陥没部内に固着されるべく設計されたキャップ85とを備える、別実施例に係る歯科用固定装置80を示している。インプラント82は幾つかの観点で図１から図７の上記インプラントと類似しており、適切な場合には同様の部材に対して同様の参照番号が使用されるが、更に短寸の支台ヘッド86と、寸法の変更は別として図１から図７のシャフト14と類似もしくは同一である一体的螺条付き支柱もしくはシャフト14とを有している。保持部材84およびキャップ85もまた上記第１実施例の保持部材15およびキャップ16と類似しており、適切な場合には同様の部材に対して同様の参照番号が使用される。但し、これらの部材は固定装置10の対応部材よりも長さが短いことから、装置の全高は減少される。インプラント82は、歯科用固定器もしくは支台に対して一般的に使用される被覆チタンもしくは他の標準的な材料の如き比較的に頑丈な材料から構成され、且つ、螺条付き支柱14は、第１実施例に対して図３に示されたのと同一様式で骨膜下骨100における調製済みボア内への直接的係合に対して設計される。
【００３３】
上記第１実施例におけるのと同様に支台ヘッド86は、概略的に平坦な第1末端22と、該第1末端から延在する外側の湾曲されたもしくは球根状の位置決め部分23とを有している。位置決め部分23の末端からは短寸化された円筒状部分88が延在し、且つ、該円筒状部分88からは、螺条付き支柱もしくはシャフト14の螺条非形成端部26まで、内方テーパ付き縁部分89が延在する。図１６は、相互に組立てられた図１５の各部材を示している。図１６に示された如く、保持部材84はキャップ85内に枢動的にスナップ係合すると共に、ヘッド86の位置決め部分23上に解除可能にスナップ係合されている。上記螺条付き支柱は、骨内インプラントの分野で公知の如く、設置に先立ち任意の適切な被覆材料で被覆され得る。
【００３４】
図１６および図１８に示された如く、且つ、先行実施例におけるのと同様に、インプラント82のヘッド86は、平坦末端面22から該ヘッドの丈の一部に亙り延在するソケット34を有し、且つ、該ソケットの外側末端における内方に延在する丸形縁部35を有する。図１８および図１９に見られる如く、縁部35は、患者の顎骨における調製済みボア内に上記螺条付き支柱を固着する適切な工具の末端を受容する切欠36を有する。上記ソケットの壁部を貫通して一個以上の滲出孔37が配備されることで、該ソケットから唾液が流出することが許容される。
【００３５】
図１６および図１７に示された如く、保持部材84は、先行実施例と同様なカップ形状であるが、該保持部材は長さが更に短く、また、概略的に平坦な第1末端38と、該第1末端38から延在してヘッド20上への係合のための内部キャビティ40を画成する外側裾部39と、図１６および図１７に見られる如くソケット34内に係合すべく上記キャビティの内側にて末端38から延在する保持ピンもしくは栓部42とを備えている。保持部材84は、一定の弾性を有するナイロン、プラスチック、ゴムまたはゴム状材料の如き材料で作成される。保持部材84は、言及したことによりそれらの開示内容が本明細書中に援用されるというゼスト等の米国特許第6,030,219号および米国特許第6,299,447号に記述された如き保持要素もしくは雄型要素に類似し得る。先行実施例におけるのと同様に、裾部39は、ヘッド86の外側位置決め部分23上へのスナップ係合のために設計された凹状内側面もしくは位置決め部分44を有する。保持ピンもしくは栓部42は、該栓部の残部よりも僅かに大径であり且つソケット縁部35の内径よりも僅かに小径である拡大端部45(図１７)を有し、縁部35および端部45はスナップ係合形態部を構成する。裾部39が上記ヘッドの外側位置決め部分23上に係合するとき、栓部42の上記末端は、ソケット縁部35により画成された開口を該末端が強制的に貫通せしめられるときに僅かに圧縮され、次に、該末端が上記ソケット内に解除可能に保持される様に拡開する。同様に、裾部38の外側末端は、それが位置決め部分23の球根状もしくは丸形の表面上に強制的に被せられるときに拡開されてから、スナップ的に戻ることで、位置決め部分23の末端に係合する。故に、位置決め部分23と、裾部38の内側凹状面とは、保持部材84とインプラント82のヘッド86との間における第2の群のスナップ係合形態部を構成する。
【００３６】
保持部材84の外側面46は、先行実施例におけるのと同様に且つ図１６に示された如く、キャップ85内の対応形状のキャビティ48内へのスナップ嵌合的な旋回係合のために凸状または丸形である。上記保持部材とキャップとの間に形成された上記旋回継手は、上述の米国特許第6,030,219号および米国特許第6,299,447号に記述されたものと類似しておりまたは同一である。金属製義歯キャップ85内におけるナイロンもしくはプラスチック製で弾性的な保持部材もしくは雄型部材84の枢動によれば、平行でない複数の支台に対する僅かな修正、ならびに、長期持続的な弾性接続の提供が許容される。
【００３７】
図２０は、図１５から図１９の上記固定装置におけるインプラント82の代わりに使用され得る改変インプラント95を示している。インプラント95はインプラント82と同一の支台ヘッド86を有するが、螺条付き支柱14は、図１０に関して示され且つ上述された上記螺条付き支柱と同一の改変螺条付き支柱62により置き換えられる。図２１は、図１５から図１９のインプラント82に置き換わり得る別の改変インプラント96を示している。インプラント96もまた、インプラント82のそれと実質的に同一のヘッド86を有するが、インプラント96は図１１から図１４のインプラント70のシャフトと同一の改変螺条付きシャフト72を有しており、適切な場合には同様の部材に対して同様の参照番号が使用される。
【００３８】
図２２から図２４は、一体片式の骨内インプラント102と、保持部材104と、義歯、部分義歯などの如き歯科用器具内に配備された凹所もしくは陥没部内に固着されるべく設計されたキャップ105とを備える、別実施例に係る歯科用固定装置100を示している。インプラント102は、改変支台ヘッド106と、図１から図７の上記インプラントの螺条付きシャフトと類似する一体的螺条付き支柱もしくはシャフト14とを有し、適切な場合には同様の部材に対して同様の参照番号が使用される。先行実施例におけるのと同様に、インプラント102は、歯科用固定器もしくは支台に対して一般的に使用される被覆チタンもしくは他の標準的な材料の如き比較的に頑丈な材料から構成され、且つ、螺条付き支柱14は、第１実施例に対して図３に示されたのと同一様式で骨膜下骨100における調製済みボア内への直接的係合に対して設計される。上記螺条付き支柱は、骨内インプラントの分野で公知の如く、設置に先立ち任意の適切な被覆材料で被覆され得る。
【００３９】
保持部材104は、先行実施例におけるのと同様に、一定の弾性を有するナイロンもしくはプラスチック材料の如き材料から構成される。保持部材104は、言及したことによりその開示内容が本明細書中に援用されるミュラリーに対する米国特許第6,981,871号に記述された保持部材もしくは雌型部材と類似しもしくは同一とされ得る一方、インプラント102のヘッド106は、該米国特許第6,981,871号に記述されたデバイスの頭部と同様とされることで、同様の外側スナップ係合機構を提供する。
【００４０】
ヘッド106は、第1末端108と、該第1末端から離間して突出する外側位置決め表面であって、環状溝114により分離された環状保持リブを有する軸心方向に離間された少なくとも２つの保持部分もしくはスナップ係合部分110、112とを有している。図示実施例において第1のリブもしくは保持部分110は第2のリブもしくは保持部分112よりも小径であるが、他の実施例においてそれらは同一径とされ得る。リブ112からは円筒状部分115が延在し、螺条付き支柱14の螺条非形成端部26へと移行するテーパ付き部分116にて終端する。先行実施例におけるのと同様に、上記ヘッドの末端108からは内方にソケット118が延在し、その縁部の回りには、骨膜下骨における調製済みボア内へと支柱14を螺着するために使用される工具を受容する切欠を備える。但し、この場合に保持部材104はボア118にスナップ係合する一切の栓部を有さない、と言うのも、以下に更に詳細に説明されるように、外側スナップ係合のみが配備されるからである。代替実施例においては、先行実施例と同様の様式で保持部材104とインプラント102の上記ヘッドとの間には内側スナップ係合も配備され得る。ソケット118の壁部を貫通して(不図示の)一個以上の滲出孔が配備されることで、該ソケットから唾液が流出することが許容される。
【００４１】
図２４に示された如く、保持部材104は、第1末端120と、該第1末端から突出してヘッド106の位置決め部分または保持部分上にスナップ係合する裾部122とを有する、概略的にカップ形状である。上述の如く、保持部材104は上述の米国特許第6,981,871号に記述された保持部材と類似しておりまたは同一である。裾部122の外側面124は、弧状であり、且つ、図２４に見られる如くキャップ105内での旋回係合に対して設計されている。
【００４２】
裾部122は、リブ110、112上へのスナップ係合のために上記キャビティを第1および第2の環状陥没領域もしくは丸形溝126、128へと分割する突出環状リブ125を有する。図２４に示された如く各部材が相互に組立てられたとき、保持部材104は、キャップ105内に枢動的にスナップ係合すると共に、ヘッド106の各位置決め部分上に解除可能にスナップ係合される。上記保持部材とキャップとの間に形成される上記旋回継手は、上述の米国特許第6,030,219号、米国特許第6,299,447号および米国特許第6,981,871号に記述されたものと類似しておりまたは同一である。金属製義歯キャップ105内におけるナイロンもしくはプラスチック製で弾性的な保持部材104の枢動によれば、平行でない複数の支台に対する僅かな修正、ならびに、長期持続的な弾性接続の提供が許容される。同時に上記保持部材は、患者が歯科用器具を取り外して交換するときに、上記キャップ内に確実に保持される。
【００４３】
図２５は、図２２から図２４の上記固定装置におけるインプラント102の代わりに使用され得る改変インプラント130を示している。インプラント130はインプラント102と同一の支台ヘッド106を有するが、螺条付き支柱14は、図１０に関して示され且つ上述された螺条付き支柱と同一の改変螺条付き支柱62により置き換えられ、適切な場合には同様の部材に対して同様の参照番号が使用される。図２６は、図２２から図２４のインプラント102に置き換わり得る別の改変インプラント135を示している。インプラント125もまた、インプラント102のそれと実質的に同一のヘッド106を有するが、インプラント125は図１１から図１４のインプラント70のシャフトと同一の改変螺条付きシャフト72を有しており、適切な場合には同様の部材に対して同様の参照番号が使用される。
【００４４】
上記実施例の各々においては、歯科用プロテーゼ内のキャップ内に保持される保持部材に対してスナップ係合されるべく設計された一体的な支台ヘッドを備えたインプラントが、顎骨における調製済みボア内へと直接的に植設され得ることから、患者に対する完成義歯、部分義歯、または、他の歯科用プロテーゼの供与が促進される。設置されるべき歯科用プロテーゼのサイズおよび箇所に依存し、２個以上の斯かるインプラントが患者の口内の選択箇所に載置される。先ず、顎骨における適切な箇所にボアが調製されると共に、選択された複数のインプラントの螺条付きシャフトが、各ボア内に螺着される。上述の如く、各シャフトもしくはボアは、適切な被覆および／または接着剤により処理され得る。一旦設置されたなら、複数の一体的な支台ヘッドの位置決め部分は、夫々、歯科用器具内に固着されたキャップに対して旋回係合する複数の対向保持部材に対するスナップ係合のために、骨組織および歯茎のレベルの上方に突出する。弾性的なナイロンもしくはプラスチック製の保持部材は、上記器具が所定位置に在るときにはインプラントの一体的ヘッドに対する静的係合に留まる一方、各金属キャップは、歯科用器具が使用される間は各保持部材上への全範囲の回転もしくは旋回運動を行うと共に、各インプラント間の一切の誤整列を補償し得る。同時に、その装着者は、洗浄目的のために必要に応じてインプラントのヘッドから保持部材をスナップ的に係合解除することにより容易に上記器具を取り外し得ると共に、該装着者は、各保持部材が所定位置にスナップ的に載置されるまで、整列された複数のインプラントのヘッド上へと該保持部材を付勢することにより、上記器具を容易に再配置し得る。
【００４５】
図２７から図３２は、インプラント210と、保持部材250と、先行実施例のキャップ16と類似するキャップ252とを備える別実施例に係る歯科用取付具もしくは固定装置200を示している。インプラント210は図２７から図３０においては他の部材から離間して示される一方、全ての部材は図３１および図３２においては、以下に更に詳細に記述される如く相互に組立てられて示される。この実施例において、先行実施例の一体片式のインプラントは、当該本体の第1末端における第1端部220および該端部220から延在する一体的螺条付き支柱もしくはシャフト214を備える本体212と、該本体に対して着脱自在に固着可能である別体的な支台ヘッドもしくは部材215とを備える二部材式インプラント210により置き換えられる。図２７および図２８は相互から離間されたインプラント210の２つの部材を示す一方、図３１および図３２は、該本体の第1端部220に対して固着された支台ヘッド215を、該支台ヘッドの外側および内側位置決め部分に対してスナップ係合された保持部材250であって、オーバーデンチャ、部分義歯などの如きプロテーゼ254における陥没部内に固着されるべく設計されたキャップ252内に旋回係合されているという保持部材250と共に示している。二部材式インプラント210は、歯科用固定器もしくは支台に対して一般的に使用される被覆チタンもしくは他の標準的な材料の如き比較的に頑丈な材料から構成され、たとえば、支台部材215の取付けもしくは位置決め表面上における窒化チタンの被覆層を備えたチタンである。一実施例において螺条付き支柱214は、図３２に示された如く骨膜下骨256における調製済みボア内への直接的係合に対して設計される。
【００４６】
図２７から図３２の実施例において、本体212の第1端部220は、上記インプラントの２つの部材を相互に接続する外部螺条を有する。本体212の第1端部220は、環状袖部分222と、該袖部分222の一端から延在する外部螺条付き突出部もしくはボス224とを備える。袖部分222の他端であって、当該減径支柱214に至るべく湾曲されたテーパ付き導入部221を有するという他端からは、螺条付き軸部もしくは支柱214が延在する。図２８および図２９において最適に示される様に、螺条付き突出部224の上端からは、六角形の工具受容ボア225が延在する。図２８において最適に示される様に、袖部分222の上端においては、凹状形成されて内方にテーパ付けされた斜面もしくは縁部228を備えた環状着座部もしくは斜面形成カップ部分226が突出部224を囲繞する。
【００４７】
支台ヘッドもしくは部材215は、本体212の上端における突出部もしくはボス224上の外部螺条に対する解除可能な螺着係合に対して設計された螺条付き下端部230を備える貫通ボアを有する。該貫通ボアの上端もしくは第1末端は、図３１および図３２に示された如く且つ以下に更に詳細に記述される如く、義歯もしくは歯科用器具内に位置された保持部材250の栓部234の末端に対して解除可能にスナップ係合すべく内方に突出する球根状の周縁部233を有するソケット232を備える。周縁部233は、図２８Ａに示される如く、且つ、図３３、図３４および図３４Ａに関して以下に更に詳細に記述される如く、取外し工具に係合するための三角形パターンとされた３個の凹所231を有する。上記支台ヘッドは、該部材の平坦な上端もしくは第1末端から延在する第1の凸状もしくは球根状の位置決め部分236と、端部235から延在する円筒状胴部分237と、該胴部分に対して外方テーパ付き部分240により接続された外側環状領域238と、上記胴部分から部材215の平坦下端まで延在する内方にテーパ付けされたもしくは斜面状の部分242とを有する。図３１および図３２に見られる如く各部材が相互に固着されたとき、環状縁部238は上記インプラントの袖部の一部を形成する。図２７に見られる如く、上記ソケットの壁部を貫通して一個以上の滲出孔244が配備されることで、該ソケットから唾液が流出することが許容される。下側斜面部分242のテーパおよび寸法は、上記本体の上端における内側斜面228のそれらに整合する。
【００４８】
図３１および図３２は相互に組立てられた図２７および図２８の２つの部材を示しており、支台ヘッド215は螺条付き突出部224上に螺着係合され、且つ、下側斜面242は上記本体の上端部もしくは第1端部における着座部226の内側斜面228に係合している。カップ部分226の対応斜面形成縁部228に対する斜面状の下端面242の係合と共に、上記本体の上側の斜面形成カップ部分226内への支台ヘッド215の下端の着座によれば、上記２つの部材を接続する螺条に対する側方応力の低減が助力される。
【００４９】
図３１および図３２において上記二部材式の小型インプラントは、使用中であり、且つ、図３２において一部が概略的に示された義歯もしくは歯科用器具254における凹所内に固着されたキャップ252内に旋回係合するキャップ用雄型部材もしくは保持部材250と解除可能にスナップ係合して示される。図３２はまた、上記インプラントを囲繞する組織もしくは歯茎255と、螺条付き支柱214が埋設される硬質骨組織もしくは骨膜下骨256とを概略的に示し、且つ、上記骨および組織のレベルに対する各取付け部材の概略箇所を概略的に示している。インプラント210の上記２つの部材の間の外側分離ライン260は、図３１および図３２に見られる如く上記インプラントが設置されたとき、上記袖部領域の高さに沿い且つ組織レベルの僅かに下方に配置される。
【００５０】
図３１および図３２において保持部材250は、キャップ252内に枢動的にスナップ係合すると共に、支台ヘッド215の外側位置決め表面部分236上に解除可能にスナップ係合している。同時に、栓部もしくはシャフト234はソケット232内にスナップ係合する。図３２は、各部材の作用状態を概略的に示しており、キャップ252は歯科用器具もしくはプロテーゼ254内の適切なキャビティ内に設置され、且つ、螺条付き支柱214は顎骨256における調製済みボア内に螺着係合している。上記螺条付き支柱は、骨内インプラントの分野で公知の如く、設置に先立ち任意の適切な被覆材料で被覆され得る。
【００５１】
保持部材250は、言及したことによりそれらの開示内容が本明細書中に援用されるというゼスト等の米国特許第6,030,219号および米国特許第6,299,447号に記述された如き保持要素もしくは雄型要素と同様とされ得ると共に、カリフォルニア、エスコンディードのゼスト・アンカ社によりLocator（登録商標）の名称で販売されている雄型部材もしくは保持部材とされ得る。代替実施例において上記支台部材は、各図中に示されたのと同一様式でインプラントの本体に取付けられ乍ら、義歯に使用される他の種類の雄型部材もしくは保持部材に対して解除可能にスナップ係合するために設計され得る。図３１および図３２の保持部材250は、上記支台部材の外側位置決め部分236上にスナップ係合すべく設計された凹状の内側面もしくは位置決め部分を備えた裾部258を有する。保持ピンもしくは栓部234は、該栓部の残部よりも僅かに大径であり且つソケット縁部233の内径よりも僅かに小径である拡大端部を有し、周縁部233と栓部234の端部とはスナップ係合形態部を構成する。上記裾部が上記ヘッドの外側位置決め部分232上に係合するとき、栓部234の上記末端は、ソケット縁部233により画成された開口を該末端が強制的に貫通せしめられるときに僅かに圧縮され、次に、該末端が上記ソケット内に解除可能に保持される様に拡開する。同様に、裾部258の外側末端は、それが位置決め部分232の球根状もしくは丸形の表面上に強制的に被せられるときに拡開されてから、スナップ的に戻ることで、図３２に見られる如く位置決め部分232の末端上に係合し、減径胴部分237に対して当接する。保持部材250の外側面は、図３２に示された如く、キャップ252内の対応形状のキャビティ内へのスナップ嵌合的な旋回係合のために凸状または丸形であり、キャップ252と保持部材250の夫々の対向内側末端間には小寸間隙があることで、小さな程度の旋回が許容される。上記保持部材とキャップとの間に形成される旋回継手は、上述の米国特許第6,030,219号および米国特許第6,299,447号に記述されたのと同様もしくは同一である。金属製義歯キャップ252内におけるナイロンもしくはプラスチック製で弾性的な保持部材250の枢動によれば、平行でない複数の支台に対する僅かな修正、ならびに、長期持続的な弾性接続の提供が許容される。
【００５２】
上記二部材式インプラントは、患者の顎部のサイズ、および、利用可能な組織および骨の深度および厚みに基づいて口腔外科医もしくは歯科医により選択されるために一定範囲の異なるサイズにて作成され得る。二部材式インプラント210は、所謂る小型支台部材もしくは小型インプラントに至るまで、同様のサイズ範囲で提供され得る。一実施例においては、複数の支台部材215が約1.5mm〜4.0mmの直径範囲で提供される一方、螺条付き支柱214の長さは約6mm〜21mmの範囲とされ得る。固着されるべき歯科用器具のサイズに依存して、顎骨における複数の選択箇所に複数の二部材式インプラントが夫々固着され、且つ、歯科用器具における複数の対応箇所には複数のキャップ252が夫々固着される。夫々のキャップ内には複数の雄型部材もしくは保持部材250が係合され、次に歯科用器具は、各支台ヘッド215の対向末端もしくは位置決め部分上に夫々の保持部材をスナップ係合させることにより、顎部内に容易に固着され得る。
【００５３】
一実施例において、上記本体のシャフトもしくは支柱214上の螺条は、骨成長および骨結合を許容すべく設計され得る。図示実施例において、上記螺条は骨成長に対して設計され、且つ、上記本体のシャフトもしくは支柱214上の螺条のピッチもしくは角度は比較的に急峻であり且つ約9°〜17°の範囲とされ得る。隣接する螺条同士の間の間隔は、少なくとも1mmとされ得る。これは、螺条同士の間の間隙における相当の骨成長および骨結合を許容する最小限の間隔であることが見出されている。一実施例において、各螺条は上記インプラントのシャフト部分の表面から約1/2mmだけ突出し、且つ、それらは約1/2mm高さである。螺条設計態様は、図１から図２６の一体片式インプラントに関して上述されたのと同様もしくは同一とされ得る。図２７から図３２の実施例において、上記シャフトは螺条非形成導入部分262を有すると共に、該シャフトの下側部分に沿い、微小螺条付き部分264および二重リード螺条265が追随する。二重リード螺条は、単一リード螺条の二倍だけ迅速に螺着される。骨組織は、上記微小螺条内へと、更に大寸の螺条よりも迅速に且つ更に効率的に成長することから、この配置構成は上記インプラントを固定し且つ弛緩に抗することを助力する。図示実施例においてシャフト214の螺条付き部分は、自己ネジ切りの目的で、径方向にて対向されて軸心方向に延在する２つの平坦部268も有している。該平坦部は、植設の後におけるインプラント部材の螺着解除に対する抵抗も助力する。代替実施例においては、他の螺条設計態様が使用され得る。図示実施例においてシャフト214は、その丈の少なくとも一部分に沿い先端267までテーパ付けされるが、他の実施例においては均一な直径とされ得る。他の実施例においては、代替的な螺条または他の骨組織一体化形成部が使用され得る。
【００５４】
上記小型インプラントを一体片ではなく二部材とすることにより、上側支台ヘッドもしくは部材215はインプラントの本体を顎骨内の所定位置に残置し乍ら交換され得るが、このことは、取付けもしくは位置決め表面が摩耗したときに適切な使用を継続するために完全に取り外されて交換もしくは改変されるべき一体片式インプラントとの比較における利点である。図２７から図３２の実施例において、支台部材215は、インプラントの本体212の上端における外部螺条付きボスもしくは支柱224から該支台部材を螺着解除することで、歯科医により上記本体から取り外され得る。図３３、図３４および図３４Ａは、保持もしくはスナップ係合表面が摩耗して支台部材215の交換が必要とされたときに、上記二部材式インプラントの本体212から部材215を取り外すために使用され得る取外し工具270の一実施例を示している。該取外し工具は、図３４に見られる如く、中心シャフト271と、該シャフトの中央領域上に回転可能に取付けられた三角形ドライバもしくはスリーブ272とを有している。シャフト271は、その上でドライバ272が回転する略円筒状の中央部分274と、一端における六角形レンチ保持部分275と、逆端における小寸六角形部分276であって、本体212の上端における六角ボア225に係合すべく設計されたという小寸六角形部分276とを有する。三角形ドライバ272は図３４Ａに別個に示されると共に、該三角形ドライバは、上記シャフトの中央部分274上に回転可能に係合される中心の円筒状貫通ボア273と、六角形状の第1の大寸の端部もしくは把持部分278と、三角形に配置されて離間された３個の突起部もしくはリブ282であって、支台部材215におけるソケット232の内側縁部233における三角形配置の凹所もしくは切欠き231に係合すべく設計されるという突起部もしくはリブ282を有する駆動部分280と、を有するスリーブ部材から構成される。
【００５５】
支台ヘッド215を取り外すために、上記取外し工具の下側六角形部分276は上記インプラントの本体の内部六角部225に係合されて該本体を所定位置に保持すると共に、該本体を螺着解除応力から保護する。三角形ドライバ272のドライバ部分280は、各切欠き231に対して突起部もしくはリブ282を係合させ乍ら支台ヘッド215のソケット232に係合され、次に該ドライバ部分は回転されることで支台部材ヘッド215を螺条付き突出部もしくはボス224から螺着解除される一方、上記シャフトの下側六角形部分276は上記本体を保持して静止させる。下側六角形部分276はまた、インプラントの最初の設置時に、顎骨における調製済みボア内へと本体212を螺着するためにも使用され得る。
【００５６】
図３５から図３８は第２実施例に係る二部材式小型インプラント290を示しており、その場合に該インプラントの本体に対する外部螺条取付け機構は、内部螺条取付け機構により置き換えられている。小型インプラント290は、当該本体の第1末端における拡大第1端部294と該第1端部から延在する一体的螺条付き支柱もしくはシャフト295とを備える本体292と、該本体に対して着脱自在に固着可能な別体的支台ヘッド296とを備える。上記インプラントは、先行実施例と同一もしくは同様の材料から構成される。シャフト295の外部螺条配置機構は先行実施例と同一であり、適切な場合にはシャフトの同様の部分に対して同様の参照番号が使用される。
【００５７】
第1端部294は、先行実施例のそれと同様の円筒状袖部分を備える共に、斜面状外側縁部299を有するカップ形状着座部298と、該着座部から上記本体のシャフト部分内へと延在すると共に当該ボアの上端にては六角形部分302を有する(図３８参照)というボア300とを備えている。ボア300は先行実施例におけるよりも長寸であり、且つ、螺条付き内側端部304を有している。支台ヘッド296は、支台ヘッド215と同様の外部形状の端部305であって先行実施例と同様の上端ソケット232を備えるという端部305を有しており、適切な場合には同様の部材に対して同様の参照番号が使用されている。但し、先行実施例における螺条付きボアの代わりに、この実施例の支台ヘッド296は、部分305から延在するシャフト306であって、本体292における上記ボアの螺条付き内側端部304に螺着係合するための螺条付き部分308を有するというシャフト306を有している。故に、この実施例においては、小型インプラントの２つの部材を内部螺条が接続する。支台ヘッド215は、必要であれば、図３４Ａに示された工具270の三角形ドライバと同様の三角形ドライバを用いて該支台ヘッドを上記本体から螺着解除することにより、交換のために取り外され得る。
【００５８】
先行実施例におけるのと同様に、支台ヘッド296の端部305の下側斜面部分242は、該支台ヘッドの該下側斜面242を着座部298の斜面状縁部299に係合させ乍ら内部螺条取付けを介して各部材が相互に固着されたときに、上記本体の上端におけるカップ形状着座部298内に着座される。これにより、上記２つの部材を接続する小寸螺条308、304に対する側方応力の低減が助力される。
【００５９】
顎部内に一旦設置されたなら、二部材式インプラント290は先行実施例に関して上述されたのと厳密に同一の様式で機能し、図３１および図３２に関して上述された如く、雄型部材もしくは保持部材250は上記ヘッド部分の上端部305上にスナップ係合し、該保持部材の栓部234はソケット232内にスナップ係合する。故に、複数の二部材式小型インプラント290が使用されることで、当該器具内に適切に載置された複数のキャップ252に旋回係合する標準的な雄型部材もしくは保持部材を用いて、義歯もしくは歯科用器具を患者の口内に解除可能に取付け得る。
【００６０】
図３９および図４０は、先行実施例におけるのと同様に、各部材間の内部螺条取付け機構を有する二部材式インプラントの別実施例310を示している。インプラント310は先行実施例のインプラント290と類似しており、適切な場合には同様の部材に対して同様の参照番号が使用されている。但しこの実施例においては、以下に更に詳細に記述される如く、支台の端部の拡大下側部分が除去され且つ本体のヘッド部分は更なる高さの袖部領域を有する一方、各部材間における取付けのラインは、先行する２つの実施例におけるよりも高位である。
【００６１】
図３９および図４０に示された如く、インプラント310は、上記第１実施例に関して上述された様式で患者の顎部内に植設されるべく設計された本体312と、図３６から図３８に関して上述されたのと同様の様式で、本体312におけるボア300の螺条付き内側端部304に係合する螺条付きシャフト306を介して上記本体に対して解除可能に取付けられるべく設計された支台ヘッド314とを備える。この実施例の本体312と先行実施例の本体との間における主たる相違は、本体312は更に長寸の外側袖部分315を備えたヘッドもしくは端部を有すると共に、上記上端は、上側のカップ形状着座部298の斜面状内側縁部299を囲繞する外側斜面316を有する、ということである。本体312はその他の点では先行実施例の本体292と同一であり、上述の如く同様の部材に対しては同様の参照番号が使用されている。
【００６２】
先行実施例においては支台ヘッド上に配備された袖部領域の一部(すなわち、上側テーパ付き部分240と共に外側環状領域238)は、この実施例においては支台ヘッドから排除され、代わりに、先行する２つの実施例における斜面240に対応する上側斜面316と共に、袖部分315全体が本体のヘッド上に配置される。故に、この実施例における支台ヘッド314は、胴部もしくは凹状部分237の下端における環状の下向き斜面320であって、先行実施例の下側斜面242に対応するという斜面320にて終端する端部を有する。故に、先行する２つの実施例の支台ヘッドの部分240および238は、排除されると共に、その代わりに本体のヘッド上に配備される(袖部領域315の上側部分、および、外側斜面316)。支台ヘッド314の他の部分は先行実施例と同一であり、適切な場合には同様の部材に対して同様の参照番号が使用される。
【００６３】
この実施例において支台ヘッド314は、先行実施例に関して上述されたのと同一様式で、上記本体に対して着脱自在に固着される。下側斜面320は着座部298の斜面状内側縁部299に係合し乍ら、拡大端部318の下側部分がカップ形状着座部298内に着座する様に、シャフト306はボア300内に挿入されると共に、該シャフトの下側螺条付き端部はボア300の螺条付き下側部分304内に螺着される。この実施例において、上記２つの部材の間の分離もしくは接続のラインは、箇所322に配置され、すなわち、組織用袖部315の上端により画成される組織レベル324の上方に配置される。先行実施例におけるのと同様に、袖部315の下端は概略的な骨組織レベル325を画成し、その下方にては、上記本体のシャフト295が骨膜下骨に係合する。
【００６４】
先行する２つの実施例において、本体と支台部材もしくはヘッドとの間の接続のラインは袖部領域に置かれ(図３１および図３２、および、図３５における参照番号260を参照)、故に、組織レベルの下方に置かれる(図３２を参照)。図３９および図４０における設計態様の利点は、インプラントの２つの部材の間における接続のラインがインプラントの袖部領域には置かれず、代わりに、周囲組織もしくは歯茎から全体的に上方に離間されて、組織用袖部の外径に沿う一切の接合部が排除されることから、支台部材もしくはヘッドは組織を何ら阻害せずに歯科医により交換され得る、ということである。
【００６５】
図４１から図４４は、各部材の間の螺着接続が、部材同士の間のテーパ圧力嵌めもしくはテーパ繋止嵌めにより置き換えられるという二部材式インプラントの別実施例330を示している。この実施例の二部材式インプラント330の幾つかの部分は先行実施例の同等の部分と同一であり、適切な場合には同様の部分に対して同様の参照番号が使用されている。二部材式インプラント330は、改変上端部334とシャフト335とを有する本体332と、支台ヘッド336とを備える。シャフト335は、患者の顎骨内における調製済みボア内での骨結合に対して設計されると共に、先行実施例のシャフト114および295と同様の螺条付き領域を有し、適切な場合には同様の参照番号が使用されている。上記第１実施例におけるのと同様に改変上端部334は六角ボア225を有する一方、第１実施例の螺条付きボス224は、上側テーパ部または斜面339にて終端する略円筒状の上側部分338により置き換えられる。上記円筒状上側部分内にはセメント溝340が配置されると共に、該円筒状部分338の下端には上向きの外側テーパ嵌め部分342が配置される。
【００６６】
支台ヘッド336は上記第１実施例におけるのと同様に貫通ボアを有するが、内部螺条230は、該貫通ボアの下端における下側のテーパ嵌め部分345により追随される円筒状部分344により置き換えられる。テーパ嵌め部分345は、本体332の上記第1端部上のテーパ嵌め部分342に直面する。２つの部分342および345のテーパは相互に整合すると共に、製造の間においてインプラント330の夫々の部分上へと押圧される。上記インプラントの上記２つの部材を相互に固着するために、上記支台部材のボアは上記本体の円筒状の上側部分338上に係合され、且つ、各部材は相互に対して押圧されることで、部分342および345間にテーパ嵌めもしくはテーパ繋止が形成される。
【００６７】
支台ヘッド336の上記貫通ボアの上端は先行実施例におけるのと同様に内側の丸形縁部233を有するソケット232を備え、該ソケットは、図３１および図３２に示された雄型部材もしくは保持部材250の栓部もしくはシャフト234に対して解除可能にスナップ係合すべく設計される。上記支台ヘッドの外側面は、先行する３つの実施例のそれと同じく凹状部分もしくは胴部分237により追随される丸形上端236を有し、これらは協働して、図２７から図３２の実施例に関して上述された雄型部材もしくは保持部材250の裾部258に対する解除可能なスナップ係合に対して設計された外側位置決め部分を形成する。胴部分237は、外側テーパ付きショルダ346および袖部分348により追随される。故に、袖部の一部のみが支台ヘッド上に配置された(図２７から図３２および図３３から図３８の実施例)、または、袖部全体が本体のヘッドまたは端部上に配置された(図３９および図４０の実施例)という先行する３つの実施例とは異なり、この実施例においては袖部分の全体が支台ヘッド上に配置される。
【００６８】
一旦、上記支台ヘッドが上記本体に対して取付けられ且つ該本体が骨組織内に十分に固着されたなら、図２７から図３２に関して上述された如く上記支台ヘッドに対しては義歯もしくは歯科用器具における適切な雄型部材もしくは保持部材が解除可能に取付けられると共に、所望に応じて患者により上記支台ヘッドに対して反復的にスナップ係合かつ係合解除され得る。もし、上記支台ヘッドの取付けもしくは位置決め表面が歯科用器具において協働する雄型部材に対する確実な取付けができないほど摩耗したなら、ソケット232に係合する工具を使用すると共に、回転ではなく上向きの圧力を使用することで、上記テーパ繋止を解除すると共に上記支台ヘッドをインプラントの本体から接続解除することで、該支台ヘッドは歯科医により取り外され得る。このことは上記インプラントを阻害せずに行われ得ると共に、上記本体のヘッド部分上には新たな支台部材が係合され得る。上記支台ヘッドを円筒状部分338上に係合する前にセメント溝340内へとセメントが載置されることで、交換支台ヘッドは歯科医により所定位置にセメント固定され得る。
【００６９】
図４５から図４９は、二部材式小型インプラントの別実施例400を示している。小型インプラント400は、第1端部404と該第1端部から延在する一体的な螺条付き支柱もしくはシャフト405とを有する本体402と、該本体に対して着脱自在に固着可能な別体的支台ヘッド406とを備える。該インプラントは、先行する各実施例と同一もしくは類似の材料から成る。この実施例において支台ヘッド406は、拡大端部420および螺条付き支柱418を有している。上記本体の第1端部404は、先行実施例における内部六角部225ではなく六角形状の外部工具係合形態部408を有し、また、該六角形態部408の第1末端におけるテーパ部もしくは斜面410を備えている。六角形態部408から螺条付き支柱405にかけて、内方テーパ付き部分414が追随する環状袖部412が延在する。支柱405は、上記本体が患者の顎骨における調製済みボア内に螺着されるときにおける自己ネジ切りのために、等しく離間された３本の弧状凹所もしくは縦溝415を有している。第1端部404は、支台ヘッド406の螺条付き支柱418に対する螺着係合のために内方突出する螺条付きボア416を有している。
【００７０】
支台ヘッド406は、幾つかの観点において図３９および図４０の支台ヘッド318と類似しており、適切な場合には同様の部材に対して同様の参照番号が使用される。但し、螺条付き支柱418は更に短寸であり、且つ、図４９に見られる如く、拡大端部420は、本体402の上記第1末端において斜面もしくはテーパ部410に係合するための概略的に円錐状の内方テーパ部422を備えた端面を有している。先行実施例の幾つかにおけるのと同様に、端部420は、図４８および図４９に示された如く雄型部材もしくは保持部材250の栓部もしくはシャフト234への解除可能なスナップ係合に対して設計された内側の丸形縁部233を備えたソケット232を有する。上記支台ヘッドの外側面は、図２７から図３２および図３５から図４０のそれと同一の凹状もしくは胴部分237により追随される丸形上端236を有し、これらは協働して、図４９に見られる如く雄型部材もしくは保持部材250の裾部258に対する解除可能なスナップ係合に対して設計された外側位置決め部分を形成する。
【００７１】
インプラント400の本体402は先ず、支柱405が設置されるときに顎骨における調製済みボア内へと該支柱405を螺着して骨組織内へと螺条を切り込むべく使用され得る適切な六角ドライバ工具もしくはレンチにより六角形態部408を把持し乍ら、患者の顎骨における調製済みボア内へと設置される。上記螺条付き支柱は、骨内インプラントの分野で公知の如く、設置に先立ち任意の適切な被覆材料で被覆され得る。上記支台ヘッドは、この手順を実施する前に、好適実施例に関して上述された如くソケット232に係合する適切な工具もしくはドライバを用いて、上記本体に対して固着され得る。支柱418は、上記上端部のテーパ付き下面422が斜面410に対して着座して、上記２つの部材を接続する螺条に対する側方応力の低減が助力されるまで、ボア416内へと螺着される。
【００７２】
骨結合が完了した後、上記支台ヘッドは、図４８および図４９に示された如くキャップ252に旋回係合するキャップ用雄型部材もしくは保持部材250に対して係合される。キャップ252は、図２７から図３２の実施例に対して図３２に示されたのと同一様式で、義歯もしくは歯科用器具における凹所内に固着される。図４８および図４９において、保持部材250は、キャップ252内に枢動的にスナップ係合されると共に、支台ヘッド406の外側位置決め表面部分236上に解除可能にスナップ係合される。同時に、栓部もしくはシャフト234はソケット232内にスナップ係合する。
【００７３】
二部材式インプラントの別実施例においては、図２２から図２６の実施例において一体片式インプラントに対して示された如く、位置決め部上のスナップ係合形態部に対する解除可能なスナップ係合のために、上記支台ヘッド上の上記外側位置決め表面は軸心方向に離間された第1群の少なくとも２つのスナップ係合形態部を有し得る一方、上記保持部材の内側位置決め表面は軸心方向に離間された第2群の少なくとも２つのスナップ係合部分を有する。一方の群のスナップ係合形態部は、各位置決め表面上において離間された複数の環状突出部もしくはリブを有し得る一方、他方の群は、該環状突出部もしくはリブ上に夫々スナップ係合すべく離間された複数の環状溝を有する。この実施例において上記栓部は除外され得るか、または、上記栓部は、口内に載置されるときに歯科用器具を整列させる際の付加的な支援のために含まれ得る。
【００７４】
図２７から図４９の実施例の各々において二部材式小型インプラントは、歯科用プロテーゼ内のキャップ内に保持された保持部材に対するスナップ係合のために設計された別体的で着脱自在に取付けられた支台ヘッドを有している。上記本体は、顎骨における調製済みボア内へと直接的に植設され得る。これにより、患者に対する完成義歯、部分義歯、または、他の歯科用プロテーゼの供与が促進される。同時に、上記小型インプラントは二部材式で作成されることから、取付けもしくは位置決め表面が摩耗しすぎて適切に作用しないときには、必要に応じて支台ヘッドが交換され得る。このことは、適切な使用を継続するために完全に取り外されて新たなインプラントと交換されるかまたは改変されねばならないので相当の時間および費用を要するという一体片式小型インプラントとの比較における改善点である。
【００７５】
設置されるべき歯科用プロテーゼのサイズおよび箇所に依存し、２つ以上の一体片式もしくは二部材式の小型インプラントが患者の口内の複数の選択箇所に夫々載置され得る。まず、顎骨における適切な複数の箇所にボアが調製され、各インプラントの本体の螺条付きシャフトが上記ボア内に夫々螺着される。各シャフトもしくは支柱は最初に、適切な被覆および／または接着剤により処理されても良い。一旦設置されたなら、複数の支台ヘッドの位置決め部分は、夫々、歯科用器具内に固着されたキャップに対して旋回係合する複数の対向保持部材に対するスナップ係合のために、骨組織および歯茎のレベルの上方に突出する。弾性的なナイロンもしくはプラスチック製の保持部材は、上記器具が所定位置に在るときにはインプラントのヘッドに対する静的係合に留まる一方、各金属キャップは、歯科用器具が使用される間は各保持部材上への全範囲の回転もしくは旋回運動を行うと共に、各インプラント間の一切の誤整列を補償し得る。同時に、その装着者は、洗浄目的のために必要に応じて支台ヘッドの位置決め部分から保持部材をスナップ的に係合解除することにより容易に上記器具を取り外し得ると共に、該装着者は、各保持部材が所定位置にスナップ的に載置されるまで、整列された複数のインプラントの支台ヘッド上へと該保持部材を付勢することにより、上記器具を容易に再配置し得る。
【００７６】
上記の各実施例の支台ヘッドは、歯科用器具における協働雄型部材もしくは保持部材であって、支台ヘッド上の外側位置決め表面上にスナップ係合する外側裾部と、支台ヘッドにおける上端ソケットにスナップ係合する内側栓部とを有するという雄型部材もしくは保持部材に対し、内側および外側の両方のスナップ係合に対して設計される。但し、他の形式の雄型部材もしくは保持部材に係合すべく設計された異なる取付けもしくは位置決め表面を有する異なる支台ヘッドが配備され得る。一実施例において、上記裾部の内側位置決め表面および上記支台ヘッドの外側位置決め表面部分は相互係合可能なスナップ形態部を有し、且つ、上記保持部材は上記支台ヘッド上に解除可能にスナップ係合される。各図に関して上述された如く、他の実施例においては、栓部とソケットとの間の内側スナップ係合およびキャビティと支台ヘッドの外側位置決め部分との間の外側スナップ係合の両方が配備され得る一方、他の実施例においては内側スナップ係合のみが配備される。
【００７７】
上記の各実施例におけるインプラントの本体は、顎骨におけるボア内への螺着係合、および、顎部における次続的な骨結合に対して設計されたシャフトを有している。代替実施例においては、異なる形式の螺条が使用され得るか、ネジ切りを行う平坦部が排除され得るか、または、螺条は骨組織内への取付けのための他の種類の係合形態部により置き換えられ得る。
【００７８】
開示された各実施例の上記説明は、当業者が本発明を実施もしくは使用し得るべく提供された。当業者であれば、これらの実施例に対する種々の改変は容易に明らかであり、且つ、本明細書に記述された原則は本発明の精神もしくは有効範囲から逸脱せずに他の実施例に対して適用され得る。故に、本明細書中に示された記述および図面は本発明の現在における好適実施例を示すことから、本発明により広範囲に企図された主題を表すことは理解される。更に、本発明の有効範囲は当業者に自明であり得る他の実施例を完全に包含することから、本発明の有効範囲は添付の各請求項以外の何物によっても限定されないことは理解される。
【図１】
2012501217.tif 000003
【図２】
2012501217.tif 000004
【図３】
2012501217.tif 000005
【図４】
2012501217.tif 000006
【図５】
2012501217.tif 000007
【図６】
2012501217.tif 000008
【図７】
2012501217.tif 000009
【図８】
2012501217.tif 000010
【図９】
2012501217.tif 000011
【図１０】
2012501217.tif 000012
【図１１】
2012501217.tif 000013
【図１２】
2012501217.tif 000014
【図１３】
2012501217.tif 000015
【図１４】
2012501217.tif 000016
【図１５】
2012501217.tif 000017
【図１６】
2012501217.tif 000018
【図１７】
2012501217.tif 000019
【図１８】
2012501217.tif 000020
【図１９】
2012501217.tif 000021
【図２０】
2012501217.tif 000022
【図２１】
2012501217.tif 000023
【図２２】
2012501217.tif 000024
【図２３】
2012501217.tif 000025
【図２４】
2012501217.tif 000026
【図２５】
2012501217.tif 000027
【図２６】
2012501217.tif 000028
【図２７】
2012501217.tif 000029
【図２８】
2012501217.tif 000030
【図２８Ａ】
2012501217.tif 000031
【図２９】
2012501217.tif 000032
【図３０】
2012501217.tif 000033
【図３１】
2012501217.tif 000034
【図３２】
2012501217.tif 000035
【図３３】
2012501217.tif 000036
【図３４】
2012501217.tif 000037
【図３４Ａ】
2012501217.tif 000038
【図３５】
2012501217.tif 000039
【図３６】
2012501217.tif 000040
【図３７】
2012501217.tif 000041
【図３８】
2012501217.tif 000042
【図３９】
2012501217.tif 000043
【図４０】
2012501217.tif 000044
【図４１】
2012501217.tif 000045
【図４２】
2012501217.tif 000046
【図４３】
2012501217.tif 000047
【図４４】
2012501217.tif 000048
【図４５】
2012501217.tif 000049
【図４６】
2012501217.tif 000050
【図４７】
2012501217.tif 000051
【図４８】
2012501217.tif 000052
【図４９】
2012501217.tif 000053
【国際調査報告】
2012501217.tif 000054